(57)【要約】【課題】洗面ボウルの周縁側のデザインの自由度を向上することが可能な洗面器及び洗面器の設置構造を提供する。【解決手段】洗面ボウル部１１と、洗面ボウル部１１の手前側及び両側方側を覆い下端部で支持部材２０に載置される外側部１２と、洗面ボウル部１１の奥側に設けられて支持部材２０に固定される固定部１５と、を備えている。【選択図】図２
2018089245.tif 000002
【特許請求の範囲】
【請求項１】
洗面ボウル部と、
前記洗面ボウル部の手前側及び両側方側に連設されるとともに、下端部で支持部材に載置される外側部と、
前記洗面ボウル部の奥側に設けられて前記支持部材に固定される固定部と、を備えていることを特徴とする洗面器。
【請求項２】
請求項１に記載の洗面器と、前記支持部材とを備え、
前記支持部材は、前記洗面器を取付けるための取付開口部が形成され、
前記取付開口部は、奥側開口部と、該奥側開口部よりも幅広に形成され前記洗面ボウル部が配置される手前側開口部と、を有することを特徴とする洗面器の設置構造。
【請求項３】
前記固定部に対向する前記支持部材の取付面が、前記取付開口部の両側方側から内側に突出して形成されている請求項２に記載の洗面器の設置構造。
【発明の詳細な説明】
【技術分野】
【０００１】
本発明は、洗面器及び洗面器の設置構造に関する。
【背景技術】
【０００２】
従来、各種のキャビネットやカウンター等の支持部材に洗面器が取り付けられた洗面器の設置構造は種々存在する（例えば、特許文献１参照）。近年、支持部材の上面に洗面器を載置したような外観が得られるベッセル式の陶器製洗面器を用いた設置構造も採用されている。
【０００３】
例えば、図７、図８に示すように、従来のベッセル式の洗面器１１０は、支持部材１２０の略矩形状に形成された取付開口部１２１に洗面ボウル部１１１を対向配置するように取り付けられている。
洗面ボウル部１１１の手前側及び両側方側には洗面器１１０の縁部に相当するリム１１２が形成されている。リム１１２の下端には洗面器１１０を支持部材１２０上に載置させるための載置部１１２ｂが形成されている。また、載置部１１２ｂに隣接する位置において、洗面器１１０と支持部材１２０とが固定具１１５ａを用いて固定されている。
【先行技術文献】
【特許文献】
【０００４】
【特許文献１】特開２００５−５８４０２号公報
【発明の概要】
【発明が解決しようとする課題】
【０００５】
従来のベッセル式の洗面器１１０では、両側方側において支持部材１２０と固定する固定部１１５を形成していたため、リム１１２の幅が広く設けられていた。そのため、洗面ボウル部１１１の内側面１１１ｃの周縁近傍が穏やかな勾配で形成されているなど、洗面ボウル部１１１の周縁部が厚肉に形成されていた。一方、近年ではデザイン性を重視するために、洗面ボウル部の周縁部が薄肉で、よりスタイリッシュなデザインにしたいとの要望がある。
ところが、洗面器１１０は陶器製であり、リム１１２の下方には載置部１１２ｂや固定具１１５ａを取り付けるための固定部１１５等を形成する必要があったため、周縁部の形状の変更は容易でなく、デザインの自由度に制限があった。
【０００６】
そこで本発明は上記事情に鑑みてなされたものであり、洗面ボウル部およびその周縁のデザインの自由度を向上することが可能な洗面器及び洗面器の設置構造を提供することを目的とする。
【課題を解決するための手段】
【０００７】
上記課題を解決する本発明の洗面器は、洗面ボウル部と、前記洗面ボウル部の手前側及び両側方側に連設されるとともに、下端部で支持部材に載置される外側部と、前記洗面ボウル部の奥側に設けられて前記支持部材に固定される固定部と、を備えていることを特徴としている。
【０００８】
本発明の洗面器によれば、洗面ボウル部の手前側及び両側方側に形成された外側部が下端部で支持部材に載置され、洗面ボウル部の奥側に設けられた固定部が支持部材に固定されている。そのため、洗面ボウル部の手前側や両側方側には固定部等の幅広のスペースを要する部位が不要となる。これにより、外側部（リム）の厚みを大幅に薄肉にすることができる。また、外側部の厚みを薄肉にすることができるため、洗面ボウル部の内面における周縁部の傾斜角度を大きくすることができる。
したがって、洗面ボウル部の周縁が薄肉に形成されたデザインを容易に実現でき、洗面ボウル部およびその周縁のデザインの自由度を向上することが可能な洗面器を提供することができる。
【０００９】
上記課題を解決する本発明の洗面器の設置構造は、上述の洗面器と、前記支持部材とを備え、前記支持部材は、前記洗面器を取付けるための取付開口部が形成され、前記取付開口部は、奥側開口部と、該奥側開口部よりも幅広に形成され前記洗面ボウル部が配置される手前側開口部と、を有することを特徴としている。
【００１０】
このような洗面器の設置構造によれば、上述した手前側および両側方側の外側部が薄肉で形成された洗面器を用いるため、従来と外形寸法が同じ洗面器と比較した場合、外側部における支持部材に支持される箇所が外側に位置することになる。そのため、手前側開口部の開口幅を大きく確保しても洗面器を支持部材に載置することが可能となる。その結果、手前側開口部の面積を大きく形成することができるため、従来に比べて容積の大きい洗面ボウル部を形成することが可能となる。
【００１１】
また、本発明の洗面器の設置構造では、前記固定部に対向する前記支持部材の取付面が、前記取付開口部の両側方側から内側に突出して形成されていてもよい。
このような洗面器の設置構造によれば、洗面器の固定部に対向する取付面が取付開口部の両側方側から内側に突出して設けられているため、水栓を挟んで両側方側で洗面器を支持部材に固定することができる。そのため、洗面器を安定して支持部材に支持することができる。
【発明の効果】
【００１２】
本発明によれば、洗面器を支持部材に固定する固定部を洗面ボウル部の奥側に設けたため、洗面ボウル部およびその周縁のデザインの自由度を向上することが可能な洗面器及び洗面器の設置構造を提供することができる。
【図面の簡単な説明】
【００１３】
【図１】本発明の実施形態に係る洗面器の設置構造を示す斜視図である。
【図２】本発明の実施形態に係る洗面器の設置構造を示す平面図である。
【図３】本発明の実施形態に係る洗面器の底面を示す斜視図である。
【図４】図２のＡ−Ａ断面図である。
【図５】図２のＢ−Ｂ断面図である。
【図６】図２のＣ−Ｃ断面図である。
【図７】従来のベッセル式洗面器の設置構造を示す平面図である。
【図８】図７のＤ−Ｄ断面図である。
【発明を実施するための形態】
【００１４】
以下、本発明の実施形態について図面を用いて詳細に説明する。
図１は本実施形態に係る洗面器の設置構造を示す斜視図であり、図２はその平面図であり、図３は洗面器の底面を示す斜視図であり、図４は図２のＡ−Ａ断面を示し、図５は図２のＢ−Ｂ断面を示し、図６は図２のＣ−Ｃ断面図を示す。
図１及び図２に示すように、本実施形態の洗面器１０の設置構造は、洗面器１０がカウンターなどからなる支持部材２０に支持されて構成されている。
なお、本実施形態においては、使用者が洗面器１０の前に位置した際に使用者に近い側を手前側とし、反対側の遠い側を奥側とする。また、洗面器１０の手前側と奥側との間に連なる部分を側方とする。
【００１５】
洗面器１０は、洗面ボウル部１１と、洗面ボウル部１１の手前側及び両側方側に連設された外側部１２と、洗面ボウル部１１の奥側、即ち、鏡やキャビネットなどが配される壁１３側に設けられて支持部材２０との固定部１５（詳細は後述する）が形成された奥部１４と、を有している。洗面器１０は陶器製であり、洗面ボウル部１１、外側部１２、奥部１４は一体に形成されている。
【００１６】
洗面ボウル部１１は、平面視で略四角形状に形成されている。また、図４に示すように、底面部１１ａ及び周縁部１１ｂが連続して形成され、洗面ボウル部１１の内側面１１ｃが連続した凹形状に形成されている。周縁部１１ｂは四方に急勾配に立ち上がるように形成され、周縁部１１ｂの頂部１１ｄが略一定高さに、かつ、環状に連続形成されている。底面部１１ａには、排水口１１ｅが形成され、周縁部１１ｂから排水口１１ｅまでが下り勾配に形成されている。
【００１７】
外側部１２は、洗面ボウル部１１の手前側及び両側方側に連続して設けられており、洗面器１０の縁部を構成している。外側部１２の頂部１２ｄは、洗面ボウル部１１の周縁部１１ｂの頂部１１ｄと同じ位置として構成されているとともに、外側部１２の内側面１２ｅは、洗面ボウル部１１の周縁部１１ｂ（内側面１１ｃ）と同じ位置として構成されている。外側部１２の外周面１２ｃは、洗面器１０を支持部材２０に設置したときに略鉛直面となるように形成されている。外側部１２の内側面１２ｅと外周面１２ｃとの間には、中空部１２ｆが形成されている。なお、外側部１２の外周面１２ｃは鉛直方向に形成されていても、鉛直方向に対して正負何れかに勾配を有していてもよい。
ここで、洗面ボウル部１１の周縁であって、洗面ボウル部１１の頂部１１ｄ（１２ｄ）、周縁部１１ｂの上部、および外側部１２の外周面１２ｃの上部で構成される箇所がリム３０に相当する。
【００１８】
図３、図４に示すように、外側部１２の下端には、洗面ボウル部１１の外側面１１ｆと連結一体化された連結部１２ａが形成されている。連結部１２ａには、支持部材２０に載置される載置部１２ｂが形成されている。載置部１２ｂは、連結部１２ａから若干下方に突出した平坦面として形成されている。載置部１２ｂは、支持部材２０に直接当接して載置されてもよく、パッキンやコーキング剤等を介して載置されてもよい。なお、支持部材２０の上面における載置部１２ｂに対向する位置に凹部を形成し、該凹部に載置部１２ｂを嵌合するようにして載置してもよい。
【００１９】
本実施形態では、載置部１２ｂが外側部１２に沿って洗面ボウル部１１の手前側及び両側方側に連続して幅細に形成されている。ここで、載置部１２ｂの幅は例えば１０ｍｍ以下に設定されている。
外側部１２は、載置部１２ｂが支持部材２０に載置された状態で、支持部材２０上に配置された洗面ボウル部１１の外側面１１ｆを外部から視認不能に覆うように形成されている。
【００２０】
図６に示すように、奥部１４は、洗面ボウル部１１の周縁部１１ｂの頂部１１ｄから連設するように一体に形成され、頂部１１ｄの高さで奥側、即ち壁１３側に延びる上面部１４ａと、上面部１４ａの奥側端部から下方に延びる背面部１４ｂと、背面部１４ｂの下端から略水平方向に延びる連結部１４ｄと、を有している。
【００２１】
図１、図２に示すように、奥部１４の上面部１４ａには、幅方向の略中間部分に各種の水栓や排水弁操作部などが配置される水栓設置部１４ｃが設けられている。水栓設置部１４ｃは後述する両側方側の固定部１５，１５間に設けられている。
【００２２】
背面部１４ｂは、図５、図６に示すように、洗面ボウル部１１の両側方側にそれぞれ形成されている。各背面部１４ｂの下端には、洗面ボウル部１１の外側面１１ｆと連結一体化された連結部１４ｄが連設されている。
【００２３】
連結部１４ｄは、略水平方向に延出した板状に形成されている。連結部１４ｄには、支持部材２０に載置される載置部１４ｅと、載置部１４ｅより上方に位置し固定具１５ａが装着される固定部１５と、が形成されている。載置部１４ｅ及び固定部１５は洗面ボウル部１１の外側面１１ｆよりも奥側に設けられている。載置部１４ｅは、外側部１２の載置部１２ｂと面一になるように形成されている。また、奥部１４の両側方側の端面１４ｆは、外側部１２の外周面１２ｃと面一に形成されている。
【００２４】
固定部１５は、載置部１４ｅを支持部材２０に載置させた状態で支持部材２０の上面と若干離間した位置に平板状に形成されており、この平面の略中心に長孔１５ｂが形成されている。
固定具１５ａは、平板長方形状の頭部１５ｃと、頭部１５ｃに連結されネジ溝が形成された棒部１５ｄと、を備えている。固定具１５ａの頭部１５ｃを長孔１５ｂから奥部１４の中空部内に挿入するとともに、頭部１５ｃを回動させて固定部１５に固定具１５ａを係止する。その状態で、固定具１５ａの棒部１５ｄにナット１５ｅを締結することで、固定具１５ａを固定部１５に支持固定する。そして、洗面器１０を支持部材２０に支持固定する際、固定具１５ａの棒部１５ｄを支持部材２０に形成された貫通孔２０ａに挿入して設置する。そして、支持部材２０の裏面側からナット１５ｆで締結することで洗面器１０を支持部材２０に支持固定することができる。なお、図５では固定具１５ａを用いて洗面器１０と支持部材２０とを支持固定した状態を示している。
【００２５】
図２に戻り、支持部材２０には、洗面器１０を設置するための取付開口部２１が形成されている。取付開口部２１は、所定位置に装着された洗面器１０により上方から覆われる大きさの形状を有している。取付開口部２１は、水栓設置部１４ｃに配置される水栓の配管などが挿通される奥側開口部２１ａと、奥側開口部２１ａよりも幅広に形成されて洗面ボウル部１１が配置される手前側開口部２１ｂと、を有している。
【００２６】
支持部材２０の上面における手前側開口部２１ｂの手前側及び両側方側の周縁には、洗面器１０の外側部１２の下端に設けられた載置部１２ｂを載置する設置面２２ａが設けられている。設置面２２ａは平坦に連続して設けられている。
さらに、支持部材２０における洗面器１０の固定部１５に対向する位置には、取付面２２ｂが形成されている。取付面２２ｂは、取付開口部２１の両側方側から互いの方向に向かって突出する略平坦面に形成されている。換言すれば、取付面２２ｂは、手前側開口部２１ｂの両側方側の端部よりも内側に突出するように形成されている。
【００２７】
このような支持部材２０を用いて洗面器１０を設置するには、取付開口部２１に対して上側から洗面器１０を配置し、手前側開口部２１ｂに洗面ボウル部１１を対向配置（一部挿入）すると共に、奥側開口部２１ａ上に奥部１４の水栓設置部１４ｃを配置する。洗面ボウル部１１の手前側及び両側方側の外側部１２の下端に設けられた載置部１２ｂを、手前側開口部２１ｂの周縁の設置面２２ａに載置する。また、洗面ボウル部１１の奥側における幅方向両側に設けられた固定部１５が、取付面２２ｂに対向するように載置する。そして、固定具１５ａを用いて洗面器１０と支持部材２０とを強固に支持固定することで、洗面器１０を支持部材２０に支持した設置構造を構築することができる。
【００２８】
以上のような本実施形態の洗面器１０によれば、洗面ボウル部１１の手前側及び両側方側の外側部１２が下端部で支持部材２０に載置され、洗面ボウル部１１の奥側に設けられた固定部１５において支持部材２０に固定されている。そのため、洗面ボウル部１１の手前側や両側方側には固定部１５等の幅広のスペースを要する部位が無くなり、リム３０の厚みを大幅に薄くできる。
【００２９】
洗面ボウル部１１の周縁（リム３０）が大幅に薄肉に形成されることで軽量化を図れたり、洗面ボウル部１１の手前側及び両側方側における支持部材２０の載置幅を狭くしたりすることができる。また、外側部１２（リム３０）に固定部を設けなくても、洗面ボウル部１１の奥側に設けられた固定部１５において支持部材２０に固定することで、洗面器１０は安定して支持部材２０に支持固定できる。
【００３０】
これにより支持部材２０上に洗面器１０の略全体が載置されたベッセル式洗面器において、洗面ボウル部１１の内側面１１ｃと外側部１２の外周面１２ｃとの間の厚み（リム３０の厚み）を大幅に薄肉にしたり、洗面ボウル部１１の内側面１１ｃの周縁部１１ｂの傾斜角度を大きくしたりすることが可能となる。
したがって、洗面ボウル部１１の周縁が薄肉に形成されたよりスタイリッシュなデザインであっても容易に実現でき、デザインの自由度を向上することが可能となる。
【００３１】
また、本実施形態の洗面器１０では、洗面ボウル部１１に外側部１２を近接配置できるため、洗面器１０の横幅をコンパクトすることもできる。また、固定部１５が水栓設置部１４ｃとともに奥部１４に設けられるため、洗面ボウル部１１と壁１３との間に固定部１５を配置できる。そのため、洗面ボウル部１１の両側方に余分なスペースを設ける必要がなく、洗面器１０の横幅をコンパクト化することもできる。
【００３２】
本実施形態における洗面器１０の設置構造によれば、洗面器１０を取付けるための支持部材２０の取付開口部２１において、洗面ボウル部１１が配置される手前側開口部２１ｂを奥側開口部２１ａよりも幅広に形成している。
このように、手前側開口部２１ｂの開口幅を広く確保することで、同じ外形形状の場合、従来に比べて容積の大きい洗面ボウル部１１を設けることが可能である。
【００３３】
即ち、例えば図７及び図８に示すような従来の設置構造では、洗面器１１０を支持部材１２０に載置する部位や固定する部位の制約のため、取付開口部１２１が奥側から手前側まで同じ幅で形成されていた。そのため取付開口部１２１に応じた横幅の洗面ボウル部１１１を有する洗面器しか設置できなかった。
しかし、本実施形態のように、洗面器１０の固定部１５を洗面ボウル部１１の奥側に設けることで、洗面器１０を支持部材２０に固定する部位の制約をなくすことができ、手前側開口部２１ｂを大きく確保することが可能となる。その結果、手前側開口部２１ｂに配置される洗面ボウル部１１の平面寸法を大きくして、その容積を大きく確保することができる。
【００３４】
また、本実施形態の設置構造によれば、支持部材２０における固定部１５に対向する取付面２２ｂが、取付開口部２１の両側方側から内側に突出するように形成されている。そのため水栓（水栓設置部１４ｃ）を挟んで両側方側で洗面器１０を支持部材２０に固定することができ、洗面器１０を安定して支持部材２０に支持することができる。
【００３５】
以上、本発明に係る包装部材の一実施形態について説明したが、本発明は上記の一実施形態に限定されるものではなく、その趣旨を逸脱しない範囲で適宜変更可能である。
例えば、上記実施形態では洗面ボウル部１１を平面視略四角形状の例について説明したが、特に限定されるものではなく、例えば平面視で円形、半円形状、多角形形状などであっても本発明を同様に適用可能である。
また、上記実施形態では陶器製の洗面器１０の場合で説明をしたが、洗面器は陶器製以外のものであってもよい。
さらに、上記実施形態では奥部１４の幅方向略中央に水栓設置部１４ｃが形成され、その両側に固定部１５が設けられた構成を有していたが、それに限らず、例えば、幅方向のいずれか一方側に水栓設置部および固定部を設け、他方側は洗面ボウル部が奥側まで張り出すように形成されていてもよい。
【符号の説明】
【００３６】
１０…洗面器
１１…洗面ボウル部
１１ｂ…周縁部
１１ｃ…内側面
１１ｆ…外側面
１２…外側部
１２ａ…連結部
１２ｂ…載置部
１４…奥部
１４ｃ…水栓設置部
１４ｄ…連結部
１４ｅ…載置部
１５…固定部
１５ａ…固定具
２０…支持部材
２１…取付開口部
２１ａ…奥側開口部
２１ｂ…手前側開口部
２２ａ…設置面
２２ｂ…取付面
３０…リム
【図１】
2018089245.tif 000003
【図２】
2018089245.tif 000004
【図３】
2018089245.tif 000005
【図４】
2018089245.tif 000006
【図５】
2018089245.tif 000007
【図６】
2018089245.tif 000008
【図７】
2018089245.tif 000009
【図８】
2018089245.tif 000010